(57)【要約】      （修正有）【課題】ユーザの興味をより効果的に行動に結びつける技術を提供する。【解決手段】アイテム表示装置は、所定の位置を含むマップを第１の領域に表示する第１の制御手段と、前記所定の位置から所定の範囲内の位置に関連付けられたアイテムを第２の領域に表示する第２の制御手段と、前記表示されているマップ及びアイテムに応じて、前記アイテムと、前記アイテムの前記マップ上の位置とを可視的に結んだリンクを表示する第３の制御手段とを備える。【選択図】図２
2014106812.tif 000002
【特許請求の範囲】
【請求項１】
所定の位置を含むマップを第１の領域に表示する第１の制御手段と、
前記所定の位置から所定の範囲内の位置に関連付けられたアイテムを第２の領域に表示する第２の制御手段と、
前記表示されているマップ及びアイテムに応じて、前記アイテムと、前記アイテムの前記マップ上の位置とを可視的に結んだリンクを表示する第３の制御手段と
を備えたことを特徴とする表示装置。
【請求項２】
前記第１の制御手段は、表示されている前記アイテムに応じて、縮尺を変更して前記マップを表示することを特徴とする請求項１に記載の表示装置。
【請求項３】
前記第２の制御手段は、前記所定の位置から所定の範囲内の位置に関連付けられた複数の前記アイテムのうちの一部を前記第２の領域に表示し、表示されているアイテムをユーザの指示に応じて変更することを特徴とする請求項１又は２に記載の表示装置。
【請求項４】
前記所定の位置の気象情報に対応する画像を第３の領域に表示する第４の制御手段を備えることを特徴とする請求項１から３のいずれか１項に記載の表示装置。
【請求項５】
前記アイテムは、前記アイテムについてのスコアの情報が関連付けられており、
前記リンクは、当該リンクで結ばれている前記アイテムの前記スコアに応じて強調表示されることを特徴とする請求項１から４のいずれか１項に記載の表示装置。
【請求項６】
前記所定の位置は、現在位置であることを特徴とする請求項１から５のいずれか１項に記載の表示装置。
【請求項７】
前記リンクは、ラインであることを特徴とする請求項１から６のいずれか１項に記載の表示装置。
【請求項８】
前記リンクは、矢印又はアニメーションであることを特徴とする請求項１から６のいずれか１項に記載の表示装置。
【請求項９】
制御部を備える情報処理装置によって実施される方法であって、
前記制御部が、所定の位置を含むマップを第１の領域に表示する第１の制御ステップと、
前記制御部が、前記所定の位置から所定の範囲内の位置に関連付けられたアイテムを第２の領域に表示する第２の制御ステップと、
前記制御部が、前記表示されているマップ及びアイテムに応じて、前記アイテムと、前記アイテムの前記マップ上の位置とを可視的に結んだリンクを表示する第３の制御ステップと
を備えたことを特徴とする表示方法。
【請求項１０】
コンピュータを、
所定の位置を含むマップを第１の領域に表示する第１の制御手段、
前記所定の位置から所定の範囲内の位置に関連付けられたアイテムを第２の領域に表示する第２の制御手段、
前記表示されているマップ及びアイテムに応じて、前記アイテムと、前記アイテムの前記マップ上の位置とを可視的に結んだリンクを表示する第３の制御手段
として機能させるためのプログラム。
【発明の詳細な説明】
【技術分野】
【０００１】
本発明は、アイテムを表示する情報処理技術に関し、特に、アイテムを位置情報と関連付けて表示する技術に関する。
【背景技術】
【０００２】
近年、Ｗｅｂ、ソーシャルメディアなどの様々な媒体の普及により、様々な情報を得ることができる。例えば、特許文献１には、インターネットなどを介した情報検索システムにおいて、情報提供者用のサイトから情報の提供を行い、ユーザ用のサイトから情報の検索を行う技術について記載されている。ユーザは、この検索システムを用いることで、自分が興味を持ったレストラン、その他の店舗、イベントなどの情報を得ることができる。ユーザは得られた情報を基にそのレストラン、店舗又はイベントなどへ行くことで、ユーザの興味が行動に結びつくこととなる。
【先行技術文献】
【特許文献】
【０００３】
【特許文献１】特開２００１−２２２５５１号公報
【発明の概要】
【発明が解決しようとする課題】
【０００４】
しかしながら、上記のような従来技術により興味深い情報が得られた場合であっても、ユーザはその情報に基づいて行動を起こすとは限らない。例えば、ユーザは、自分が興味を持った店舗やイベント等の情報を得ても、その店舗やイベント等の情報と、行動を起こすための情報とが具体的に結び付けられていなければ、行動を起こすとは限らない。
【０００５】
本発明は、上記に鑑みてなされたものであり、その課題は、ユーザの興味をより効果的に行動に結びつける技術を提供することにある。
【課題を解決するための手段】
【０００６】
本発明に係るアイテム表示装置は、所定の位置を含むマップを第１の領域に表示する第１の制御手段と、前記所定の位置から所定の範囲内の位置に関連付けられたアイテムを第２の領域に表示する第２の制御手段と、前記表示されているマップ及びアイテムに応じて、前記アイテムと、前記アイテムの前記マップ上の位置とを可視的に結んだリンクを表示する第３の制御手段とを備えたことを特徴とする。
【０００７】
本発明に係るアイテム表示方法は、制御部を備える情報処理装置によって実施される方法であって、前記制御部が、所定の位置を含むマップを第１の領域に表示する第１の制御ステップと、前記制御部が、前記所定の位置から所定の範囲内の位置に関連付けられたアイテムを第２の領域に表示する第２の制御ステップと、前記制御部が、前記表示されているマップ及びアイテムに応じて、前記アイテムと、前記アイテムの前記マップ上の位置とを可視的に結んだリンクを表示する第３の制御ステップとを備えたことを特徴とする。
【０００８】
本発明に係るプログラムは、コンピュータを、所定の位置を含むマップを第１の領域に表示する第１の制御手段、前記所定の位置から所定の範囲内の位置に関連付けられたアイテムを第２の領域に表示する第２の制御手段、前記表示されているマップ及びアイテムに応じて、前記アイテムと、前記アイテムの前記マップ上の位置とを可視的に結んだリンクを表示する第３の制御手段として機能させることを特徴とする。
【発明の効果】
【０００９】
本発明によれば、ユーザの興味をより効果的に行動に結びつける技術を提供することができる。
【図面の簡単な説明】
【００１０】
【図１】一実施形態に係る情報処理システムの構成を示す概念図である。
【図２】一実施形態に係る端末装置の機能構成を示すブロック図である。
【図３】一実施形態において、端末装置に表示される画面の例を示す図である。
【図４】一実施形態において、端末装置に表示される画面の例を示す図である。
【図５】一実施形態において、端末装置で実行される処理の制御を示すフローチャートである。
【発明を実施するための形態】
【００１１】
以下、本発明の実施形態について、図面を参照しながら詳細に説明する。ただし、以下の説明は単なる一例であり、発明の範囲をこれらに限定するものではない。
【００１２】
また、本実施形態における説明において、「部」とは、物理的な構成を示す場合、ソフトウェアによる機能的な構成を示す場合、又はその双方により実現された構成を示す場合がある。また、１つの構成が有する機能が２つ以上の物理的構成により実現されても、２つ以上の構成の機能が１つの物理的構成により実現されてもよい。
【００１３】
図１を参照して、一実施形態に係る情報処理システムの構成を説明する。情報処理システム１は、サーバ装置１０、端末装置２０，３０，４０などの情報処理装置を主に備える。端末装置２０，３０，４０は、サーバ装置１０とネットワークＮを介して相互に通信することができる。なお、図１では、３つの端末装置が記載されているが、これは一例にすぎず、サーバ装置１０と通信可能な端末装置の数は、任意であるものとする。
【００１４】
ネットワークＮは、サーバ装置１０及び端末装置２０，３０，４０が相互に情報を送受信するための通信回線である。ネットワークＮは、例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１５】
サーバ装置１０は、専用又は汎用のサーバ・コンピュータなどの情報処理装置を用いて実現することができる。サーバ装置１０は、例えば、メモリ等に格納された所定のプログラムをＣＰＵによって実行することにより、各種の機能実現手段として機能する。なお、サーバ装置１０は、単一の情報処理装置より構成されるものであっても、ネットワーク上に分散した複数の情報処理装置より構成されるものであってもよい。
【００１６】
端末装置２０は、好適には、携帯電話機、スマートフォン、タブレット端末、ＰＤＡ、ノートパソコンなどの携帯端末により構成される。しかしながら、端末装置２０は他の情報処理端末によって構成されても良い。なお、端末装置２０は、各種情報を表示することにより、表示装置として機能する一面を持つ。端末装置２０は、主なハードウェア構成として、制御部２１、通信部２４、記憶部２５、ディスプレイ２６及び操作部２７を備える。制御部２１は、ＣＰＵ（Ｃｅｎｔｒａｌ  Ｐｒｏｃｅｓｓｉｎｇ  Ｕｎｉｔ）２２及びメモリ２３を主に備えて構成される。端末装置３０，４０についても端末装置２０と同様の構成を持つ。
【００１７】
制御部２１では、ＣＰＵ２２は、記憶部２５等に記憶されたプログラムをメモリ２３に展開して実行することにより、端末装置２０が備える各種構成の動作を制御し、また、各種処理の実行を制御する。制御部２１において実行される処理の詳細は後述する。
【００１８】
通信部２４は、ネットワークＮを介してサーバ装置１０等の各種情報処理装置と通信するための通信インタフェースである。また、通信部２４は、図示しないＷｉｆｉ（wireless fidelity）ステーション、基地局、ＧＰＳ衛星等から、測位処理に必要な信号を受信する。
【００１９】
記憶部２５は、ハードディスク等の記憶装置によって構成される。記憶部２５は、制御部２１における処理の実行に必要な各種プログラムや各種の情報を記憶する。
【００２０】
ディスプレイ２６は、液晶や有機ＥＬ等によって構成される表示装置である。ディスプレイ２６による表示の詳細な例については後述する。
【００２１】
操作部２７は、ユーザからの端末装置２０に対する操作を受け付けるためのタッチパネルや操作ボタンなどのユーザインタフェースである。
【００２２】
図２を参照して、一実施形態に係る端末装置２０の機能構成を説明する。端末装置２０は、主な機能構成として、現在位置算出部２１１、アイテム表示制御部２１２、マップ表示制御部２１３、リンク表示制御部２１４、気象情報表示制御部２１５、及びアイテム登録部２１６を備える。一実施形態において、これらの機能は、制御部２１において、ＣＰＵ２２が、記憶部２５等に記憶されたプログラムをメモリ２３に展開して実行し、端末装置２０が備える構成を制御することにより実現される。
【００２３】
現在位置算出部２１１は、図示しないＷｉｆｉステーション、基地局、ＧＰＳ衛星等から受信した信号に基づいて測位処理を行い、端末装置２０の現在位置の情報を算出する処理を行う。
【００２４】
アイテム表示制御部２１２は、まず、現在位置算出部２１１により算出された現在位置から所定の範囲内（例えば、５００ｍ、又は１ｋｍ以内）の位置に関連付けられたアイテムの情報を取得する。アイテムの情報は、通信部２４を介して、サーバ装置１０から取得される。ここで、アイテムとは、個人又は団体（企業、ショップ、飲食店など）などにより、ある場所で気に入ったもの又は宣伝したいものとして登録されるものである。アイテムは、アイテムの対象の位置情報と個人又は団体（企業、ショップ、飲食店など）が設定した情報（写真、コメントなど）とが紐付けられて設定されている。アイテムの情報は、端末装置２０，３０，４０又は図示されていない他の情報処理装置等を介して予めサーバ装置１０の記憶部に記憶されている。
【００２５】
なお、アイテム表示制御部２１２は、現在位置から所定の範囲内の位置に関連付けられたアイテムの情報を取得することとしたが、これに限定されない。アイテム表示制御部２１２は、任意の位置（例えば、ユーザから指定された位置）から所定の範囲内の位置に関連付けられたアイテムの情報を取得することとしても良い。また、取得するアイテムをユーザからの指示に応じて絞り込むこともできる。例えば、ユーザが自分で登録したアイテムのみを取得するように絞り込むことや、キーワードによって取得するアイテムを絞り込むことができる。
【００２６】
アイテム表示制御部２１２はさらに、取得したアイテムの情報をディスプレイ２６の所定の領域に表示する。多数のアイテムについての情報が取得され、全ての情報を一度に表示できない場合、アイテム表示制御部２１２は、その一部のアイテムについての情報を表示する。
【００２７】
図３に、アイテム表示制御部２１２によりディスプレイ２６に表示されたアイテムの情報の例を示す。この例では、４つのアイテムについての情報が、画像として領域３２に表示されている。領域３２に表示しきれない数のアイテムが取得されている場合、ユーザ操作に応じて、画面の領域３２を横スクロールすることで他のアイテムの画像を動的に表示させることができる。また、領域３２に表示されているアイテムの画像を選択（例えば、タップ）すると、そのアイテムについての詳細な情報をアイテム表示制御部２１２によりディスプレイ２６に表示させることもできる。
【００２８】
なお、アイテムにコメントが設定されている場合には、アイテムの画像と共にそのコメントを表示させることもできる。図３の領域３２の下部には、アイテムに設定されているコメントの表示例が示されている。この例では、領域３２に表示されている複数のアイテムのうち、所定の位置に表示されているアイテム（例えば、いちばん左に表示されているアイテム）に設定されているコメントのみを表示している。コメントの表示方法はこの例に限定されず、任意の方法とすることができる。例えば、図４の領域３５の下部に示すように、それぞれのアイテムに設定されているコメントをそれぞれ表示することもできる。
【００２９】
マップ表示制御部２１３は、現在位置算出部２１１により算出された現在位置（又は任意の位置）を含むマップをディスプレイ２６の所定の領域に表示する。マップの画像は、通信部２４を介して外部装置から取得される。また、マップ表示制御部２１３は、アイテム表示制御部２１２により表示されているアイテムに設定されている位置をアイコン（例えば、ピン形状のアイコンなど）でマップ上に示す。マップ表示制御部２１３は、ディスプレイ２６に表示されている全てのアイテムのマップ上の位置が表示されるような縮尺で、マップを表示する。アイテム表示制御部２１２によりアイテムの表示が変更されたときは、その変更に応じて、マップ表示制御部２１３によりマップの縮尺も変更される。すなわち、アイテムの表示の変更後に表示されるそれぞれのアイテムのマップ上の位置が変更前と比較して近い位置に密集しているときは、マップは、全てのアイテムのマップ上の位置が表示される程度に拡大して表示される。逆に、アイテムの表示の変更後に表示されるそれぞれのアイテムのマップ上の位置が変更前と比較して遠い位置に分散しているときは、マップは、全てのアイテムのマップ上の位置が表示される程度に縮小して表示される。
【００３０】
図３に、マップ表示制御部２１３によりディスプレイ２６に表示されたマップの例を示す。この例では、平面のマップが領域３１に表示されている。また、図４の領域３４に示すように、マップを３Ｄで表示しても良い。なお、表示されたマップは、ユーザ操作に応じて、横方向及び縦方向に視野角度を変更することができる。
【００３１】
リンク表示制御部２１４は、アイテム表示制御部２１２により表示されているアイテム（の画像）と、マップ表示制御部２１３により表示されているマップ上における当該アイテムの位置（アイテムの位置情報に対応するマップ上の位置）とを結ぶ可視的なリンクをディスプレイ２６に表示する。アイテム及びマップの表示が変更されたときは、リンク表示制御部２１４は、当該変更に応じて（表示の変更後のアイテムとマップ上のアイテムの位置とが結ばれるように）、上記の可視的なリンクを動的に変更して表示する。このように動的かつ可視的に表示されるリンクは、例えば、アイテムとマップ上のアイテムの位置とを結ぶラインによって表示される。その他、アイテムとマップ上のアイテムの位置とを結ぶ矢印やアニメーションなどによっても、動的かつ可視的にリンクを表示することができる。
【００３２】
図３には、アイテムと、マップ上のアイテムの位置とが結ばれたリンクの例として、ラインが示されている。この例において、ラインを動的に表示させる方法を詳細に説明すると、まず、ユーザの操作に応じて領域３２の画面を横スクロールさせると、その横スクロールに従って、アイテムと共に、そのアイテムに結ばれたラインもスムーズに移動する。また、領域３２の画面を横スクロールさせると、領域３２の一方の横サイドからアイテムが消えてゆき、他方の横サイドから新しいアイテムが新たに表示されてゆく。このようなスクロール処理において、横サイドから新しいアイテムが新たに表示されたとき、新たに表示されたアイテムに対応するマップ上の位置に空からピンのアイコンが落ちてくるアニメーションの処理が行われる。このように横サイドから新しいアイテムが新たに表示されたとき、領域３２の両サイドに一部しか表示されないアイテムが存在し、領域３２に５つのアイテムが表示される状態となり、ラインも５本表示されることとなる。また、領域３２の一方の横サイドからアイテムが消えたとき、消えたアイテムに対応するマップ上のピンのアイコンと、そのアイテムに結ばれたラインとが消える。
【００３３】
このように、アイテムとマップ上の位置とを動的かつ可視的に結ぶライン（リンク）を表示することによって、アイテムとそのアイテムに設定された場所との関連性をよりビジュアルに把握することができる。その結果、ユーザは、そのアイテムが設定されているところまで実際に行きたいという気持ちがより強く湧いてくる。すなわち、表示されたアイテムの情報とマップ上の位置とを結ぶリンクを表示することによって、アイテムに設定されている情報（ユーザの興味）をより効果的にユーザの行動に結びつけることができる。
【００３４】
なお、リンク表示制御部２１４により表示されるリンクは、アイテムに関連付けられて予め設定されているスコアに応じて強調表示しても良い。例えば、任意のユーザが、他人が登録したアイテムに対する評価を設定できるようにし、その評価の集計結果が高いアイテムに対して高いスコアを設定することができる。
【００３５】
気象情報表示制御部２１５は、表示されているマップの位置における現在の気象情報をディスプレイ２６の所定の位置に表示する。気象情報は、通信部２４を介して外部装置から取得される。図４の領域３３には、現在の気象状態に対応する画像が現在の気象情報として表示されている。例えば、現在の気象状態が晴れのときは、晴れ空の画像が、曇りのときは曇り空の画像が、雨のときは雨空の画像が、雪のときは雪空の画像が表示される。図４の例のように、３Ｄマップが表示された領域の上に、気象状態に応じた空の画像を表示することによって、ユーザは、よりリアルにアイテムに対応する位置付近の状態を把握することができる。例えば、晴れ空の画像が表示された場合、ユーザは、そのアイテムが設定されているところまで実際に行きたいという気持ちがより強く湧いてくる場合がある。すなわち、マップの位置における気象状態の情報をマップ及びアイテムの情報と共に表示することによって、アイテムに設定されている情報（ユーザの興味）をより効果的にユーザの行動に結びつけることができる。なお、気象情報表示制御部２１５によって表示される気象情報は、空の画像に限るものではなく、天気の文字情報（気温を含む）や気象状態をイメージさせる色等によって示されても良い。
【００３６】
アイテム登録部２１６は、ユーザにより操作部２７を介して入力されたアイテムについての情報を、通信部２４を介してサーバ装置１０に送信し、アイテムを登録する処理を行う。
【００３７】
次に、図５を参照して、端末装置２０において実行される処理のフローを説明する。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００３８】
まず、ステップＳ１１において、制御部２１は、通信部２４を介してＷｉｆｉステーション、基地局、ＧＰＳ衛星等から受信した信号に基づいて算出された現在位置の情報、又はユーザにより操作部２７を介して指定された位置の情報を取得する。さらに、制御部２１は、取得した位置の情報に対応する気象情報を、通信部２４を介して外部装置から取得する。
【００３９】
ステップＳ１２において、制御部２１は、ステップＳ１１で取得した位置情報に対応する位置から所定の範囲内（例えば、５００ｍ、又は１ｋｍ以内）の位置に関連付けられたアイテムの情報を取得する。アイテムの情報は、通信部２４を介して、サーバ装置１０から取得される。
【００４０】
ステップＳ１３において、制御部２１は、ステップＳ１１で取得した位置情報に対応する位置を含むマップをディスプレイ２６の所定の領域に表示する。マップの画像は、通信部２４を介して外部装置から取得される。マップの表示処理の詳細は、マップ表示制御部２１３の説明において記載したとおりである。
【００４１】
ステップＳ１４において、制御部２１は、ステップＳ１２で取得したアイテム（アイテムの画像など、アイテムについての情報）をディスプレイ２６の所定の領域に表示する。アイテムの表示処理の詳細は、アイテム表示制御部２１２の説明において記載したとおりである。
【００４２】
ステップＳ１５において、制御部２１は、アイテム（の画像）と、マップ上における当該アイテムの位置（アイテムの位置情報に対応するマップ上の位置）とを結ぶ可視的なリンクをディスプレイ２６に表示する。リンクの表示処理の詳細は、リンク表示制御部２１４の説明において記載したとおりである。
【００４３】
ステップＳ１６において、制御部２１は、ステップＳ１１で取得した気象情報に対応する画像をディスプレイ２６の所定の位置に表示する。気象情報に対応する画像の表示処理の詳細は、気象情報表示制御部２１５の説明において記載したとおりである。
【００４４】
ステップＳ１７において、制御部２１は、ユーザから操作部２７を介してアイテムの表示の変更指示を受けた場合（例えば、図３の領域３２がスクロールされた場合）、当該指示に応じてアイテムの表示を変更する。アイテムの表示の変更処理の詳細は、アイテム表示制御部２１２の説明及び図３の説明において記載したとおりである。
【００４５】
ステップＳ１８において、制御部２１は、ステップＳ１７で変更されたアイテムの表示に応じてマップの表示を変更する。マップの表示を変更する処理の詳細は、マップ表示制御部２１３の説明において記載したとおりである。
【００４６】
ステップＳ１９において、制御部２１は、ステップＳ１７でのアイテムの表示の変更と、ステップＳ１８でのマップの表示の変更とに応じて（表示の変更後のアイテムとマップ上のアイテムの位置とが結ばれるように）、リンクの表示を動的に変更する。
【００４７】
このように、アイテムとマップ上の位置とを動的かつ可視的に結ぶリンクを表示することによって、ユーザは、アイテムとそのアイテムに設定された場所との関連性をよりビジュアルに把握することができる。その結果、ユーザは、そのアイテムが設定されているところまで実際に行きたいという気持ちがより強く湧いてくる。すなわち、表示されたアイテムの情報とマップ上の位置とを結ぶリンクを表示することによって、端末装置２０は、アイテムに設定されている情報（ユーザの興味）をより効果的にユーザの行動に結びつけることができる。
【００４８】
［その他の実施形態］
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。例えば、アイテム表示制御部２１２によりディスプレイ２６に表示されるアイテムの数は４つに限定されず、任意である。また、画面の領域３２又は領域３５をスクロールさせる方向は横方向に限定されず、任意である。
【００４９】
また、本発明のプログラムは、本発明に係る装置を実現するための命令を含むことによって実現される。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【符号の説明】
【００５０】
１  情報処理システム、１０  サーバ装置、２０，３０，４０  端末装置、２１  制御部、２２  ＣＰＵ、２３  メモリ、２４  通信部、２５  記憶部、２６  ディスプレイ、２７  操作部
【図１】
2014106812.tif 000003
【図２】
2014106812.tif 000004
【図３】
2014106812.tif 000005
【図４】
2014106812.tif 000006
【図５】
2014106812.tif 000007